(57)【要約】  照明装置１００は、少なくとも１つのＬＥＤ照明デバイス１０５、１０５'、１０５''であって、前記ＬＥＤ照明デバイス１０５、１０５'、１０５''の必要とされる電力使用量を収集し、伝えるよう適応されるＬＥＤ制御装置を有する少なくとも１つのＬＥＤ照明デバイス１０５、１０５'、１０５''と、各々が、前記ＬＥＤ照明デバイス１０５、１０５'、１０５''に電力を供給するよう接続され、適応される少なくとも２つの電源ユニット１０１、１１１と、各電源ユニット１０１、１１１の特性及び前記少なくとも１つのＬＥＤ照明デバイス１０５、１０５'、１０５''の特性を収集するよう適応されるクラスタ制御装置１０６とを有し、前記クラスタ制御装置１０６は、前記照明装置１００の要求電力使用量、及び前記電源ユニット１０１、１１１の特性に従って、前記要求電力使用量に最も適している１つ又は複数の前記電源ユニット１０１，１１１を起動させるために、前記少なくとも２つの電源ユニット１０１、１１１の少なくとも１つを、起動及び／又は停止させるよう更に適応される。
2015513181.tif 000002
【特許請求の範囲】
【請求項１】
クラスタ制御装置と、
少なくとも１つのＬＥＤ照明デバイスであって、前記ＬＥＤ照明デバイスの必要とされる電力使用量を収集し、前記必要とされる電力使用量を前記クラスタ制御装置に伝えるよう適応されるＬＥＤ制御装置を有する少なくとも１つのＬＥＤ照明デバイスと、
各々が、前記ＬＥＤ照明デバイスに電力を供給するよう接続され、適応される少なくとも２つの電源ユニットとを有する照明装置であって、前記クラスタ制御装置が、各電源ユニットの特性及び前記少なくとも１つのＬＥＤ照明デバイスの前記必要とされる電力使用量を収集するよう適応され、前記クラスタ制御装置が、前記少なくとも２つの電源ユニットの少なくとも１つを、前記少なくとも２つの電源ユニットの前記少なくとも１つが最もエネルギ効率の良い範囲内で動作するように、前記照明装置の要求電力使用量、及び前記電源ユニットの特性に従って、起動させるよう更に適応される照明装置。
【請求項２】
各ＬＥＤ制御装置が、前記クラスタ制御装置に通信接続している請求項１に記載の照明装置。
【請求項３】
各電源ユニットが、スイッチを介して前記クラスタ制御装置に接続され、前記クラスタ制御装置が、前記スイッチを介して前記少なくとも２つの電源ユニットの少なくとも１つを起動及び／又は停止させるよう適応される請求項１又は２に記載の照明装置。
【請求項４】
各電源ユニットの前記ＬＥＤ制御装置が、対応する電源ユニットを起動及び／又は停止させるよう適応されるスイッチに接続され、前記クラスタ制御装置が、前記ＬＥＤ制御装置を介して前記少なくとも２つの電源ユニットの少なくとも１つを起動及び／又は停止させるよう適応される請求項２に記載の照明装置。
【請求項５】
前記電源ユニットの前記特性が、最大許容電力負荷及び／又は実際の電力負荷を有する請求項１乃至４のいずれか一項に記載の照明装置。
【請求項６】
前記少なくとも２つの電源ユニットが、第２電源ユニットの最大許容電力負荷より低い最大許容電力負荷を持つ第１電源ユニットを有する請求項５に記載の照明装置。
【請求項７】
前記第１電源ユニットの最大許容電力負荷より低い最大許容電力負荷を持つ第３電源ユニットを更に有する請求項６に記載の照明装置。
【請求項８】
前記クラスタ制御装置が、前記要求電力使用量が、指定された電力使用量値を上回る場合に、警報システムを起動させるよう適応される請求項１乃至７のいずれか一項に記載の照明装置。
【請求項９】
前記クラスタ制御装置が、少なくとも１つの電源ユニットを、この電源ユニットの電力負荷が、指定された電力負荷値未満である場合に、オフに切り替えるよう適応される請求項１乃至８のいずれか一項に記載の照明装置。
【請求項１０】
前記照明装置が、トラックコネクタを機械的に及び電気的に受けるための少なくとも１つの開口端を備えるハウジングを含み、前記ハウジングの内面上に導電体を含むトラックを更に有し、前記導電体が、前記ハウジングから電気的に絶縁され、前記トラックコネクタの電気接点が、前記トラックの対応する導電体と位置合わせされ、電気的に接触しており、前記ＬＥＤ照明デバイスが、前記トラックコネクタに電気的に接続され、機械的に取り付けられる請求項１乃至９のいずれか一項に記載の照明装置。
【請求項１１】
前記ＬＥＤ照明デバイスが、自己診断テストを実施するよう更に適応される請求項１乃至１０のいずれか一項に記載の照明装置。
【請求項１２】
照明装置を制御する方法であって、前記照明装置が、少なくとも１つのＬＥＤ照明デバイスであって、前記ＬＥＤ照明デバイスの必要とされる電力使用量を収集し、前記必要とされる電力使用量を伝えるよう適応されるＬＥＤ制御装置を有する少なくとも１つのＬＥＤ照明デバイスと、各々が、前記少なくとも１つのＬＥＤ照明デバイスに電力を供給するよう接続され、適応される少なくとも２つの電源ユニットとを有し、前記方法が、
前記少なくとも１つのＬＥＤ照明デバイスの必要とされる電力使用量を収集するステップと、
各電源ユニットの特性を収集するステップと、
前記少なくとも２つの電源ユニットの少なくとも１つを、１つ又は複数の前記電源ユニットが最もエネルギ効率の良い範囲内で動作するように、前記照明装置の要求電力使用量、及び前記少なくとも２つの電源ユニットの特性に従って、起動させるステップとを有する方法。
【請求項１３】
前記電源ユニットの前記特性が、最大許容電力負荷及び／又は実際の電力負荷を有する請求項１２に記載の方法。
【請求項１４】
前記電源ユニットの少なくとも１つを、この少なくとも１つの電源ユニットの電力負荷が、指定された電力負荷値未満である場合に、停止させるステップを更に有する請求項１２又は１３に記載の方法。
【請求項１５】
前記ＬＥＤ照明デバイスによって自己診断テストを実施するステップを更に有する請求項１２乃至１４のいずれか一項に記載の方法。
【発明の詳細な説明】
【技術分野】
【０００１】
本発明は、照明システムの分野に関し、より詳細には、ＬＥＤ照明装置、及びＬＥＤ照明装置を制御する方法に関する。
【背景技術】
【０００２】
照明装置においては、照明デバイスは、照明デバイスを例えば電源に電気的に接続するための導電体を有する連続的なトラック又はレール上のどこへでも、トラックコネクタを介して、機械的に取り付けられ得る。トラックは、トラックコネクタを機械的に及び電気的に受けるための１つの開口端を備えるハウジングを有する。１本のトラックが、複数のトラックコネクタを有してもよい。トラックは、ハウジングから電気的に絶縁された２つ以上の導電体を有してもよく、故に、同じトラック上の様々な照明デバイスを制御するために多数のスイッチド回路が用いられ得る。デバイスへの給電及び（デジタル）通信のための導電体は、ハウジングの内部に配置される。トラックを備えるこれらの照明装置は、天井若しくは壁、長手方向桁、又は横方向横断垂木若しくは根太に取り付けられる。装置は、棒を用いて、天井のような相対的に高い場所に取り付けられることもできる。一般的な装置には、凹型トラックを介して線間電圧（日本においては１００Ｖ、北米においては１２０Ｖ、その他の所では２４０Ｖ）が供給される。
【０００３】
照明デバイスが取り付けられるトラックを備える照明装置は、トラックに印加される低い電圧、例えば、変圧器によって供給される１０Ｖ、１２Ｖ、２４Ｖ又は４８Ｖも利用可能である。照明デバイスを別々に制御するために、トラックには、ＤＡＬＩなどのデジタル制御インタフェースのための導電体も組み込まれ得る。照明デバイスは、特定のトラック設計に適したトラックコネクタを介してトラックに様々な方法で取り付けられる。
【０００４】
他の照明装置は、照明器具を相互接続する導電ケーブルを備える天井にはめ込まれる照明器具を有する。
【０００５】
最近では、より多くの照明デバイスが、発光ダイオード（ＬＥＤ）を有する。トラック照明装置も、ＬＥＤランプのために利用可能である。更に、付加的な機能を持つＬＥＤモジュール、ランプ又は照明器具が利用可能である。これらの所謂インテリジェントＬＥＤモジュールは、ＬＥＤ光源の特性情報及びパラメータを収集し、記憶するよう適応される。更に、これらのインテリジェントＬＥＤモジュールは、この収集した、例えば、各々の電力消費量又はＬＥＤ光源の使用量についての情報を、例えば、この情報に応じて適切な措置を講じ得るクラスタ制御装置に伝える。トラックシステムを備える照明装置のフレキシビリティのため、トラックに１つ以上のＬＥＤ光源が接続されるかもしれず、電力使用量は、時間の関数としてだけでなく、トラックに接続されるＬＥＤモジュールの個数の関数としても、変化する。更に、トラックシステム構成の電力負荷が電源の最大出力電力を上回ることが生じ得る。照明装置が電気配線で電気的に相互接続されるＬＥＤを備える照明器具を有する場合にも、電源に接続されるＬＥＤの量のため、照明装置の電力負荷が電源の最大電力出力を上回ることが生じ得る。例えば、電源の最大電力出力が、ケーブルを流れる最大許容電流を上回る場合には、相互接続配線を流れる最大許容電流も、このような照明装置の最大許容電力及び設計に影響を及ぼし得る。
【発明の概要】
【発明が解決しようとする課題】
【０００６】
本発明の目的は、改善された効率を備えるＬＥＤ照明装置を提供することである。
【課題を解決するための手段】
【０００７】
本発明の或る態様によれば、少なくとも１つのＬＥＤ照明デバイスであって、前記ＬＥＤ照明デバイスの必要とされる電力使用量を収集し、伝えるよう適応されるＬＥＤ制御装置を有する少なくとも１つのＬＥＤ照明デバイスと、各々が、前記ＬＥＤ照明デバイスに電力を供給するよう接続され、適応される少なくとも２つの電源ユニットと、各電源ユニットの特性及び前記少なくとも１つのＬＥＤ照明デバイスの特性を収集するよう適応されるクラスタ制御装置とを有する照明装置であって、前記クラスタ制御装置が、前記照明装置の要求電力使用量、及び前記電源ユニットの特性に従って、前記要求電力使用量に最も適している１つ又は複数の前記電源ユニットを起動させるために、前記少なくとも２つの電源ユニットの少なくとも１つを、起動及び／又は停止させるよう更に適応される照明装置が提供される。
【０００８】
本発明は、前記クラスタ制御装置が、例えば、前記ＬＥＤ照明デバイスの要求電力使用量、並びに／又は電気ケーブル、電気トラック及び電気コンタクトパッドなどの電気的な相互接続手段の最大電力負荷に基づいて、前記照明装置の要求電力使用量に応じて、前記電源ユニットを起動及び／又は停止させることができることから、利用可能な電源ユニットの効率的な使用を提供する。各電源ユニットは、個々に、起動及び停止されることができる。
【０００９】
実施例においては、各ＬＥＤ制御装置は、前記クラスタ制御装置に通信接続している。例えば、前記クラスタ制御装置が前記ＬＥＤ制御装置に及びその逆にコマンドを送信することができる通信バス、又は無線通信を介するものである。
【００１０】
実施例においては、各電源ユニットは、スイッチを介して前記クラスタ制御装置に接続され、前記クラスタ制御装置は、前記スイッチを介して前記少なくとも２つの電源ユニットの少なくとも１つを起動及び／又は停止させるよう適応される。この方法においては、前記クラスタ制御装置は、前記電源ユニットを起動又は停止させるための前記スイッチ、即ち、前記スイッチを閉じる又は開けることによって前記電源ユニットを前記電源に接続する又は前記電源ユニットを前記電源から切り離すための前記スイッチに、直接、コマンドを送信する。 
【００１１】
実施例においては、各電源ユニットの前記ＬＥＤ制御装置は、対応する電源ユニットを起動及び／又は停止させるよう適応されるスイッチに接続され、前記クラスタ制御装置は、前記ＬＥＤ制御装置を介して前記少なくとも２つの電源ユニットの少なくとも１つを起動及び／又は停止させるよう適応される。この実施例においては、前記クラスタ制御装置は、前記対応する電源ユニットが起動又は停止されなければならないときに、各ＬＥＤ制御装置にコマンドを発するよう適応される。その場合、前記ＬＥＤ制御装置は、前記電源ユニットの前記スイッチを動かすことによって、即ち、前記スイッチを閉じる又は開けることにより前記電源ユニットを前記電源に接続する又は前記電源ユニットを前記電源から切り離すことによって、前記電源ユニットを起動又は停止させる動作を実施する。
【００１２】
実施例においては、前記電源ユニットの前記特性は、最大許容電力負荷及び／又は実際の電力負荷を有する。電源又は電源ユニットのエネルギ効率は、低い負荷において著しく低下することが知られている。本発明による照明装置は、各電源ユニットがその最もエネルギ効率の良い電力負荷範囲において動作するように、前記電源ユニットを起動させることができる。或る例においては、電力負荷が、最大許容電力負荷の５０％から２５％へ低下する場合には、電源ユニットのエネルギ効率は９０％から８７％へ低下する。
【００１３】
実施例においては、前記少なくとも２つの電源ユニットは、第２電源ユニットの最大許容電力負荷より低い最大許容電力負荷を持つ第１電源ユニットを有する。この方法においては、前記クラスタ制御装置は、前記必要とされる電力消費量に応じて、相対的に低い最大電力を供給する電源ユニットしか起動させないよう決定し得る。換言すれば、前記クラスタ制御装置は、例えば最適な効率で動作する適切な電源ユニットを起動させることによって、前記必要とされる電力消費量に、前記利用可能な電源ユニット及びそれらの各々の最大許容電力負荷を合わせることができる。
【００１４】
実施例においては、前記第１電源ユニットの最大許容電力負荷より低い最大許容電力負荷を持つ第３電源ユニットを更に有する。これは、例えば、前記ＬＥＤ照明デバイスの前記必要とされる電力消費量に合う最もエネルギ効率の良い電源ユニット構成の選択において、前記照明装置のより一層のフレキシビリティを提供する。
【００１５】
実施例においては、前記クラスタ制御装置は、前記要求電力使用量が、指定された電力使用量値を上回る場合に、警報システムを起動させるよう適応される。これは、例えば、設置中に、前記利用可能な電力負荷を上回る電力消費量を必要とするだろうあまりに多くのＬＥＤ照明デバイスが照明装置に設置される場合に、又は前記電力負荷が、例えば、電気的に接続するケーブル又はトラックなどの電気的な相互接続手段のために許容される最大電流を上回る場合に、有利である。警報を発することによって、設置者は、前記利用可能な電力負荷に合うように前記照明装置を適応させることができる。例えば、供給電圧が相対的に低く、例えば６０Ｖ未満である場合には、前記電源は、前記ＬＥＤ照明デバイスの設置中にオンに切り替えられてもよく、１つのＬＥＤ照明デバイスの追加が最大利用可能電力負荷の超過をもたらすだろうときに、警報が発せられる。別の例においては、設置中には電力はオフに切り替えられ、ＬＥＤ光源の設置が完了したときに、警報が与えられてもよい。 
【００１６】
実施例においては、前記クラスタ制御装置は、少なくとも１つの電源ユニットを、この電源ユニットの電力負荷が、指定された電力負荷値未満である場合に、オフに切り替えるよう適応される。例えば、前記指定された電力負荷値は、最大許容エネルギ効率と関係している。
【００１７】
実施例においては、前記照明装置は、トラックコネクタを機械的に及び電気的に受けるための少なくとも１つの開口端を備えるハウジングを含み、前記ハウジングの内面上に導電体を含むトラックを更に有し、前記導電体は、前記ハウジングから電気的に絶縁され、前記トラックコネクタの電気接点は、対応する導電体と位置合わせされ、電気的に接触しており、前記ＬＥＤ照明デバイスは、前記トラックコネクタに電気的に接続され、機械的に取り付けられる。このようなトラックは、前記照明装置に組み込まれ得るＬＥＤ光源の個数においてフレキシビリティを与え、それ故、前記電源ユニットのインテリジェントスイッチングは、このような照明装置に非常に有利である。
【００１８】
実施例においては、前記ＬＥＤ照明デバイスは、自己診断テストを実施するよう更に適応される。これは、前記照明装置における前記ＬＥＤ照明デバイスの設置のチェックを可能にする。
【００１９】
本発明の別の態様によれば、照明装置を制御する方法であって、前記照明装置が、ＬＥＤ照明デバイスと、各々が、前記ＬＥＤ照明デバイスに電力を供給するよう接続され、適応される少なくとも２つの電源ユニットとを有し、前記方法が、前記ＬＥＤ照明デバイスの必要とされる電力使用量を収集するステップと、各電源ユニットの特性を収集するステップと、前記照明装置の要求電力使用量、及び前記電源ユニットの特性に従って、前記要求電力使用量に最も適している１つ又は複数の前記電源ユニットを起動させるために、前記少なくとも２つの電源ユニットの少なくとも１つを、起動及び／又は停止させるステップとを有する方法が提供される。
【００２０】
本発明による照明装置に関して記載したのと同様の利点が、この方法に当てはまる。
実施例においては、前記電源ユニットの前記特性は、最大許容電力負荷及び／又は実際の電力負荷を有する。
【００２１】
実施例においては、前記方法は、前記要求電力使用量が、指定された電力使用量値を上回る場合に、警報システムを起動させるステップを更に有する。
【００２２】
実施例においては、前記方法は、電源ユニットを、前記電源ユニットの電力負荷が、指定された電力負荷値未満である場合に、停止させるステップを更に有する。
【００２３】
実施例においては、前記方法は、前記ＬＥＤ照明デバイスによって自己診断テストを実施するステップを更に有する。他の実施例においては、前記自己診断テストは、前記照明装置に前記ＬＥＤ照明デバイスを設置した後に、始動される。これは、前記照明装置における前記ＬＥＤ照明デバイスの誤った設置を防止し、設置者が前記照明装置を適応させる又は直すことができる早期の警報を供給する。更に他の実施例においては、前記方法は、前記自己診断テストの結果に基づいて警報システムを起動させるステップを更に有する。
【００２４】
ここで、本発明の実施例を示す添付の図面を参照して、本発明のこれら及び他の態様をより詳細に記載する。
【図面の簡単な説明】
【００２５】
【図１】本発明による照明装置の実施例を図示する。
【発明を実施するための形態】
【００２６】
以下、本発明の現在好ましい実施例が示されている添付図面を参照して、本発明をより詳細に説明する。しかしながら、この発明は、多様な形態で実施されることができ、ここに記載されている実施例に限定されると解釈されるべきではなく、もっと正確に言えば、これらの実施例は、完全及び完璧を期すために示されており、本発明の範囲を熟練した受取人に十分に伝える。全体を通して、同様の参照符号は、同様の要素を指す。
【００２７】
ここで、図面、とりわけ、図１を参照すると、第１電源ユニット（ＰＳＵ）１０１及び第２電源ユニット１１１を有する照明装置１００が示されている。第１ＰＳＵ１０１及び第２ＰＳＵ１１１の最大許容電力負荷は異なり得る。各電源は、エネルギ効率良く動作する電力負荷範囲を持つ。例えば、電力負荷が、最大許容電力負荷の５０％から２５％へ低下する場合には、電源ユニットのエネルギ効率は９０％から８７％へ低下し得る。ＰＳＵ１０１、１１１は、電源電圧１０９に接続される。他の実施例においては、３つ以上のＰＳＵが、照明装置１００の一部である。各ＰＳＵは、マイクロプロセッサ１０３、１１３、及びこの場合には、各ＰＳＵ１０１、１１１の特性、例えば、現在の電力負荷又は最大許容電力負荷などの特性についての情報を収集するためのＲｓｅｔレジスタ１０２、１１２を有する。更に、各ＰＳＵ１０１、１１１は、スイッチ１０４、１１４を介して電力供給レール１０７に接続される。スイッチ１０４、１１４は、例えば、ハイパワーMOSFETである。照明装置１００は、ＬＥＤ照明デバイス１０５、１０５'、１０５''を更に有し、ＬＥＤ照明デバイス１０５、１０５'、１０５''はまた、電力供給レール１０７に接続され、更に、通信バス１０８に接続される。照明装置１００は、クラスタ制御装置１０６、例えば、マイクロプロセッサを更に有し、クラスタ制御装置１０６はまた、電力供給レール１０７及び通信バス１０８に接続される。他の実施例においては、通信は無線通信である。
【００２８】
ＬＥＤ照明デバイス１０５、１０５'、１０５''は、ＬＥＤ光源の特定のパラメータ、例えば、色点、必要とされる電力使用量などについての情報を収集することができる所謂インテリジェント照明デバイスである。各ＬＥＤ照明デバイス１０５、１０５'、１０５''の必要とされる電力使用量は、通信バス１０８を介してクラスタ制御装置１０６に伝えられる。更に、各ＰＳＵが、各ＰＳＵ１０１、１１１の特性についての情報を、通信バス１０８を介してクラスタ制御装置１０６に伝える。この例においては、最大許容電力負荷が伝えられる。クラスタ制御装置１０６は、例えば、ＬＥＤ照明デバイスの必要とされる電力使用量の総量、又は更に、ＰＳＵ１０１、１１１の最大許容電力負荷と組み合わせて照明装置に組み込まれる他の電子部品の電力使用量の値に従って、スイッチ１０４、１１４を操作し、スイッチ１０４、１１４の開閉を介して、各ＰＳＵ１０１、１１１を起動又は停止させる。例えば、クラスタ制御装置１０６は、ＰＳＵが最もエネルギ効率の良い範囲内で動作するように、ＰＳＵ１０１、１１１の一方又は両方を起動させる。例えば、１つのＰＳＵ１０１だけオンに切り替えられる。別の例においては、各ＰＳＵ１０１、１１１の最大許容電力負荷レベルが異なり、必要とされる電力負荷に対して最もエネルギ効率良く動作する特定のＰＳＵがオンに切り替えられる。例えば、電力使用量が少ない場合には、最大許容電力負荷が最も低いＰＳＵだけがオンに切り替えられ、電力使用量が中くらいである場合には、最大許容電力負荷が最も高いＰＳＵだけがオンに切り替えられ、電力使用量が多い場合には、両方のＰＳＵがオンに切り替えられる。換言すれば、接続されるＬＥＤ照明デバイスの必要とされる電力使用量によって決定される必要とされる電力負荷に最も適している又は最も良い１つ又は複数のＰＳＵがオンに切り替えられる。最も適している又は最も良い１つ又は複数のＰＳＵは、最もエネルギ効率良く動作し、従って、前記１つ又は複数のＰＳＵの効率は、一定に保たれるだろう、又は改善するだろう。実際的な例においては、最大許容電源負荷は３００Ｗであり、４８Ｖの場合には、ＰＳＵを効率良く動作させるためには、供給電流は、６Ａ（又は６Ａ未満）に可能な限り近くすべきである。必要とされる電流が６Aより高くなる場合には、更に、第２ＰＳＵがオンに切り替えられる。
【００２９】
別の実施例においては、クラスタ制御装置１０６は、電力供給レール１０７に接続されず、ＬＥＤマイクロプロセッサ１０３、１１３が、クラスタ制御装置１０６から通信バス１０８を介して対応するコマンドを受け取った後に、スイッチ１０４、１１４を起動及び／又は停止させ、従って、ＰＳＵを電源に接続する、及び／又はＰＳＵを電源から切り離す。
【００３０】
随意に、クラスタ制御装置１０６は、必要とされる電力使用量が利用可能なＰＳＵの総最大電力負荷を上回る場合に、警報システムを起動させる。好ましくは、これは、照明装置の設置中になされる。例えば、供給電圧が相対的に低く、例えば６０Ｖ未満である場合には、ＰＳＵは、ＬＥＤ照明デバイスの設置中にオンに切り替えられてもよく、１つのＬＥＤ照明デバイスの付加的な設置が最大利用可能電力負荷の超過をもたらすだろうときに、警報が発せられる。別の例においては、設置中には電力はオフに切り替えられ、ＬＥＤ光源の設置が完了したときに警報が与えられてもよい。
【００３１】
本発明は、通常動作モードの間のシステム効率（省エネルギ）を増大させ、電力過負荷をもたらす構成の場合にフィードバックを与える照明装置及び方法を提供する。
【００３２】
照明装置は、トラックコネクタを機械的に及び電気的に受けるための少なくとも１つの開口端を持つハウジングを有する１本以上のトラックを備えるトラックシステムも含み得る。ハウジングの内面上の導電体は、ハウジングから電気的に絶縁され、トラックコネクタの電気接点が、対応する導電体と位置合わせされ、電気的に接触する。１つ以上のＬＥＤ照明デバイスが、トラックコネクタを介してトラックに接続される。照明装置の別の実施例においては、ＬＥＤ照明デバイスは、１つ以上の照明器具に含まれ、ケーブル又はトラックを介してＰＳＵに電気的に相互接続される。
【００３３】
随意に、インテリジェントＬＥＤ照明デバイス１０５、１０５'、１０５''が、診断／セルフテストを実施し、例えば通信バス１０８を介してクラスタ制御装置１０６に結果を伝えるよう適応される。その場合、クラスタ制御装置１０６は、設置が成功したか否かを設置者に知らせることができる。
【００３４】
通信バス１０８を介した通信は、適切な無線通信に置き換えられることもできることに注意されたい。
【００３５】
本発明の特定の例示実施例に関して本発明を説明しているが、当業者には、多くの異なる変形例、修正例などが明らかになるであろう。開示されている実施例の変形は、当業者により、請求項記載の発明の実施において、図面、明細及び添付の請求項の研究から、理解され、達成され得る。例えば、光源の更に他のグループに光変換装置が接続されてもよく、即ち、光変換装置に接続される光源の第１、第２及び第４グループを持つ上記の実施例は本発明の範囲を限定するものとして解釈されるべきではない。更に、請求項において、「有する」という用語は、他の要素又はステップを除外せず、単数形表記は、複数性を除外しない。
【図１】
2015513181.tif 000003
【国際調査報告】
2015513181.tif 000004
2015513181.tif 000005
2015513181.tif 000006